(57)【要約】      （修正有）【課題】健康食品データベース或いは微量元素データベースを応用する健康診断設備を提供する。【解決手段】健康診断設備１は発射／受信モジュール１０、コントロールモジュール１１及びディスプレイ１２からなる。発射／受信モジュール１０は被験者の頭部と連接し、コントロールモジュール１１の駆動を受けて、発射周波数を発射し、被験者の頭部は反射周波数をコントロールモジュール１１へとフィードバックする。コントロールモジュール１１は演算モジュール１３及び健康食品データベース１４からなる。コントロールモジュール１１は反射周波数を受信し、演算モジュール１３により発射周波数と反射周波数を演算後、テストデータを生じ、演算モジュールはテストデータと健康食品データベース１４の内部資料とを比較分析し、適した健康食品を選出する。ディスプレイ１２は適した健康食品を表示し、被験者に知らせ、及び食用に供し、及び被験者の検査情報を表示できる。【選択図】図１
0003207609.tif 000002
【実用新案登録請求の範囲】
【請求項１】
健康食品データベースを応用する健康診断設備であって、少なくとも１個の発射／受信モジュール、コントロールモジュール及びディスプレイからなり、
前記発射／受信モジュールは、被験者の頭部と連接し、前記コントロールモジュールの駆動を受けて、発射周波数を発射し、前記発射／受信モジュールは、反射周波数を前記コントロールモジュールにフィードバックし、
前記コントロールモジュールは、演算モジュール及び健康食品データベースからなり、
前記健康食品データベースには、複数種の健康食品の資料を内蔵し、前記コントロールモジュールは、前記反射周波数を受信し、前記演算モジュールにより前記発射周波数と前記反射周波数を演算後、テストデータを生じ、前記演算モジュールは、前記テストデータと前記健康食品データベースの内部資料とを比較分析し、前記被験者に適した健康食品を選出し、
前記ディスプレイは、前記被験者に適した健康食品を表示し、前記被験者に知らせ、及び食用に供し、しかも前記被験者の検査情報を表示できることを特徴とする健康食品データベースを応用する健康診断設備。
【請求項２】
微量元素データベースを応用する健康診断設備は、少なくとも１個の発射／受信モジュール、コントロールモジュール及びディスプレイからなり、
前記発射／受信モジュールは、被験者の頭部と連接し、前記コントロールモジュールの駆動を受けて、発射周波数を発射し、前記発射／受信モジュールは、反射周波数を前記コントロールモジュールにフィードバックし、
前記コントロールモジュールは、演算モジュール及び微量元素データベースからなり、
前記微量元素データベースには、複数種の微量元素サプリメントの資料を内蔵し、前記コントロールモジュールは、前記反射周波数を受信し、前記演算モジュールにより前記発射周波数と前記反射周波数を演算後、テストデータを生じ、前記演算モジュールは、前記テストデータと前記微量元素データベースの内部資料とを比較分析し、適した微量元素サプリメントを選出し、
前記ディスプレイは、適した微量元素サプリメントを表示し、前記被験者に知らせ、及び食用に供し、しかも前記被験者の検査情報を表示できることを特徴とする微量元素データベースを応用する健康診断設備。
【請求項３】
前記検査情報は、被験者のすべての臓器の構造図であることを特徴とする請求項１に記載の健康食品データベースを応用する健康診断設備。
【請求項４】
前記発射／受信モジュールは、センサーであることを特徴とする請求項１に記載の健康食品データベースを応用する健康診断設備。
【請求項５】
前記コントロールモジュールは、ノートパソコンであることを特徴とする請求項１に記載の健康食品データベースを応用する健康診断設備。
【請求項６】
前記検査情報は、被験者のすべての臓器の構造図であることを特徴とする請求項２に記載の微量元素データベースを応用する健康診断設備。
【請求項７】
前記発射／受信モジュールは、センサーであることを特徴とする請求項２に記載の微量元素データベースを応用する健康診断設備。
【請求項８】
前記コントロールモジュールは、ノートパソコンであることを特徴とする請求項２に記載の微量元素データベースを応用する健康診断設備。
【考案の詳細な説明】
【技術分野】
【０００１】
本考案は健康食品データベース或いは微量元素データベースを応用する健康診断設備に関し、人体周波数を診断及び分析し、健康食品データベース（或いは微量元素データベース）に対応して比較分析でき、食用に適した健康食品（或いは微量元素サプリメント）を被験者に提案できる健康食品データベース或いは微量元素データベースを応用する健康診断設備に関する。
【背景技術】
【０００２】
漢方医は、人体の各臓器は周波数を有し、その周波数がバランスを崩すと、その臓器に問題が起きると考える。一方、西洋医も予防は治療に勝ると提唱し、定期的な健康診断を呼びかけており、健康診断により個人の健康状態を把握し、早期の症状或いは危険因子を発見し、早めの治療につなげることができる。
【０００３】
一般の健康診断では、臓器にすでに変化が生じていないかどうかを検査できるだけで、臓器に変化が生じる前に予防することはできない。そのため、しばしば病気になってから初めて医師の協力と治療を仰ぐことになり、もとの健康状態を取り戻せないことも多く、さらには後遺症が残り、生活機能が失われることもある。
こうして、予防医学は人々に重視されるようになっている。予防医学は、特定グループ或いは一般市民の健康の維持、促進に重点を置くものである。予防医学は主に、健康の促進及び疾病の予防を含むが、疾病の予防とは、人体に疾病が生じる前に、健康に対する危険因子に対して評価及び改善を行い、疾病の進展を制限する。
【０００４】
これに対応するため、一般市民が食用できるさまざまな健康食品が開発され市販されている。一般市民は、自分がどのような健康食品を摂取すべきかを理解していないことが多い。一方、体内で生化学的代謝を行うため、人体は微量元素を必要としている。しかし、微量元素を食物から摂取するのは難しい。
【考案の概要】
【考案が解決しようとする課題】
【０００５】
本考案の主な目的は、人体周波数を診断及び分析し、健康食品データベース（或いは微量元素データベース）に対応して比較分析でき、食用に適した健康食品（或いは微量元素サプリメント）を被験者に提案できる健康食品データベース或いは微量元素データベースを応用する健康診断設備に関する。
【課題を解決するための手段】
【０００６】
上記目的を達成するために、本考案による健康食品データベースを応用する健康診断設備は、少なくとも１個の発射／受信モジュール、コントロールモジュール及びディスプレイからなる。
該発射／受信モジュールは、被験者の頭部に連接し、該コントロールモジュールの駆動を受けて、発射周波数を発射し、反射周波数を該コントロールモジュールにフィードバックする。
該コントロールモジュールは、演算モジュール及び健康食品データベースからなる。
該健康食品データベースには、複数種の健康食品の資料を内蔵し、該コントロールモジュールは、該反射周波数を受信し、該演算モジュールにより該発射周波数と該反射周波数を演算後、テストデータを生じ、該演算モジュールは、該テストデータと該健康食品データベースの内部資料とを比較分析し、該被験者に適した健康食品を選出する。
該ディスプレイは、該被験者に適した健康食品を表示し、該被験者に知らせ、及び食用に供し、しかも該被験者の検査情報を表示できる。
【０００７】
本考案による微量元素データベースを応用する健康診断設備，少なくとも１個の発射／受信モジュール、コントロールモジュール及びディスプレイからなる。
該発射／受信モジュールは、被験者の頭部に連接し、該コントロールモジュールの駆動を受けて、発射周波数を発射し、反射周波数を該コントロールモジュールにフィードバックする。
該コントロールモジュールは、演算モジュール及び微量元素データベースからなる。
該微量元素データベースには、複数種の微量元素サプリメントの資料を内蔵し、該コントロールモジュールは、該反射周波数を受信し、該演算モジュールにより該発射周波数と該反射周波数を演算後、テストデータを生じ、該演算モジュールは、該テストデータと該微量元素データベースの内部資料とを比較分析し、適した微量元素サプリメントを選出する。
該ディスプレイ適した微量元素サプリメントを表示し、該被験者に知らせ、及び食用に供し、しかも該被験者の検査情報を表示できる。
該微量元素サプリメントは、亜鉛、銅、マンガン、鉄、コバルト、フッ素、モリブデン、ヨウ素、クロム、ケイ素、セレン、ゲルマニウム、バナジウム、ニッケル、スズ、ランタン或いはリチウムである。
該検査情報は、被験者のすべての臓器の構造図である。
該コントロールモジュールは、ノートパソコン或いはデスクトップパソコンである。
該発射／受信モジュールは、センサーである。
【考案の効果】
【０００８】
本考案は、人体周波数を診断及び分析し、健康食品データベース（或いは微量元素データベース）に対応して比較分析でき、食用に適した健康食品（或いは微量元素サプリメント）を被験者に提案できる。
【図面の簡単な説明】
【０００９】
【図１】本考案第一実施形態の回路構造ブロックチャートである。
【図２】本考案第一実施形態の使用フローチャートである。
【図３】本考案第二実施形態の回路構造ブロックチャートである。
【図４】本考案第二実施形態の使用フローチャートである。
【考案を実施するための形態】
【００１０】
図１に示す通り、本考案第一実施形態の健康診断設備１は、少なくとも１個の発射／受信モジュール１０、コントロールモジュール１１及びディスプレイ１２からなる。
発射／受信モジュール１０は、センサーで、被験者の頭部と連接し、コントロールモジュール１１の駆動を受けて、発射周波数を発射し、反射周波数をコントロールモジュール１１にフィードバックする。
コントロールモジュール１１は、演算モジュール１３及び健康食品データベース１４からなる。
健康食品データベース１４には、複数種の健康食品の資料を内蔵し、コントロールモジュール１１は、反射周波数を受信し、演算モジュール１３により発射周波数と反射周波数とを演算後、テストデータを生じ、演算モジュール１３は、テストデータと健康食品データベース１４の内部とを、比較分析後、適した健康食品を選出し、被験者の食用に供する。
ディスプレイ１２は、被験者に適した健康食品を表示し、被験者に知らせ、及び食用に供し、しかも被験者の検査情報を表示できる。検査情報は、被験者のすべての臓器の構造図である。
【００１１】
健康食品は、機能に応じて、人体機能調節型、長寿延命型、ダイエット型、治療補助型及び他の栄養型等に分けられる。検査情報は、被験者のすべての臓器の構造図である。
コントロールモジュールは、ノートパソコン或いはデスクトップパソコンである。
【００１２】
図１、図２に示す通り、使用時には、発射／受信モジュール１０と被験者の頭部とを連接し、コントロールモジュール１１により発射／受信モジュール１０を駆動し、発射周波数を被験者の頭部へと発射する。これにより被験者の頭部は、発射／受信モジュール１０を経て、反射周波数をコントロールモジュール１１にフィードバックする。コントロールモジュール１１は、反射周波数を受信し、演算モジュール１３により発射周波数と反射周波数とを演算後、テストデータを生じる。演算モジュール１３は、テストデータと健康食品データベース１４とを比較分析し、適した健康食品を選出し、被験者の食用に供する。選出された健康食品をディスプレイ１２上に表示し、被験者は食用の参考にすることができる。
【００１３】
図３、図４に示す通り、本考案第二実施形態と第一実施形態との違いは以下の通りである。健康食品データベース１４を、微量元素データベース１５に置換する。微量元素データベース１５には、複数種の微量元素サプリメントの資料を内蔵する。
【００１４】
使用時には、発射／受信モジュール１０と被験者の頭部とを連接し、コントロールモジュール１１により発射／受信モジュール１０を駆動し、発射周波数を被験者の頭部へと発射する。これにより、被験者の頭部は、発射／受信モジュール１０を経て、反射周波数をコントロールモジュール１１にフィードバックする。コントロールモジュール１１は、反射周波数を受信し、演算モジュール１３により発射周波数と反射周波数とを演算後、テストデータを生じる。演算モジュール１３は、テストデータと微量元素データベース１５とを比較分析し、適した微量元素サプリメントを選出し、被験者の食用に供する。
選出された微量元素サプリメントをディスプレイ１２上に表示し、被験者は食用の参考にすることができる。
【００１５】
微量元素サプリメントは、亜鉛、銅、マンガン、鉄、コバルト、フッ素、モリブデン、ヨウ素、クロム、ケイ素、セレン、ゲルマニウム、バナジウム、ニッケル、スズ、ランタン或いはリチウムで、被験者は不足している単一の微量元素サプリメントを補充することができる。
【００１６】
本考案は、以下のような長所と効果を備える。
１．被験者に対して分析を行う際に、人体に害が及ぶことはない。
２．単一の作業プログラムで、神経システム、心血管システム、消化システム、筋肉骨格システム、呼吸システム、内分泌システム、泌尿システム、生殖システム及び皮膚等を含む全システムの健康診断を完成でき、しかも検査漏れの状況は発生しない。
【００１７】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１８】
１  健康診断設備
１０  発射／受信モジュール
１１  コントロールモジュール
１２  ディスプレイ
１３  演算モジュール
１４  健康食品データベース
１５  微量元素データベース
【図１】
0003207609.tif 000003
【図２】
0003207609.tif 000004
【図３】
0003207609.tif 000005
【図４】
0003207609.tif 000006